(57)【特許請求の範囲】
【請求項１】
機器本体に設けられた熱源を覆うように配置される第１のカバー部と、該第１のカバー部を外側から覆う第２のカバー部と、を備え、
前記第１のカバー部と前記第２のカバー部との間には、略密閉された空気層が形成され、
前記第１のカバー部の外側面には、重力方向と略直交する方向に延びる第１の規制リブが形成され、
前記第２のカバー部の内側面には、前記第１の規制リブと平行に延びる第２の規制リブが形成されていることを特徴とする電子機器。
【請求項２】
前記第１のカバー部と前記第２のカバー部との間には、複数の独立した前記空気層が形成されていることを特徴とする請求項１に記載の電子機器。
【請求項３】
前記第１のカバー部は、前記熱源の全領域を覆っており、前記第２のカバー部は、前記第１のカバー部の一部を覆っていることを特徴とする請求項１または２に記載の電子機器。 
【請求項４】
前記第１の規制リブと前記第２の規制リブとは、重力方向に交互に配置されていることを特徴とする請求項１ないし３のいずれか１項に記載の電子機器。
【請求項５】
前記第１の規制リブは、前記第２のカバー部に接触しておらず、前記第２の規制リブは、前記第１のカバー部に接触していないことを特徴とする請求項１ないし４のいずれか１項に記載の電子機器。
【発明の詳細な説明】
【技術分野】
【０００１】
本発明は、断熱構造を有する電子機器に関する。
【背景技術】
【０００２】
従来の電子機器の断熱構造として、例えば、機器内部の熱源を覆う外装ケースの内側に、ゴムや樹脂発泡体等が配合された断熱材を配置して、熱源の熱が外装ケースの外側に伝わらないようにしたものがある（特許文献１）。
【先行技術文献】
【特許文献】
【０００３】
【特許文献１】特開２００２−２１７５７８号公報
【発明の概要】
【発明が解決しようとする課題】
【０００４】
しかし、上記特許文献１では、高価な断熱材を使用する必要があるため、電子機器の低コスト化を妨げる原因になる。
【０００５】
本発明の目的は、空気層内において熱源の熱で温められた空気が重力方向と逆方向に移動しようとする対流を効率よく規制することができる電子機器を提供することにある。
【課題を解決するための手段】
【０００６】
上記目的を達成するために、本発明の電子機器は、機器本体に設けられた熱源を覆うように配置される第１のカバー部と、該第１のカバー部を外側から覆う第２のカバー部と、を備え、前記第１のカバー部と前記第２のカバー部との間には、略密閉された空気層が形成され、前記第１のカバー部の外側面には、重力方向と略直交する方向に延びる第１の規制リブが形成され、前記第２のカバー部の内側面には、前記第１の規制リブと平行に延びる第２の規制リブが形成されていることを特徴とする。
【発明の効果】
【０００７】
本発明によれば、空気層内において熱源の熱で温められた空気が重力方向と逆方向に移動しようとする対流を効率よく規制することができる。
【図面の簡単な説明】
【０００８】
【図１】本発明の電子機器の実施形態の一例であるデジタルビデオカメラを説明するための分解斜視図である。
【図２】第１のカバー部を外側から見た斜視図である。
【図３】第２のカバー部を内側から見た斜視図である。
【図４】第２のカバー部が組み込まれた状態の第１のカバー部を機器本体に取り付けた状態を示す図である。
【図５】図４のＡ−Ａ線断面図である。
【発明を実施するための形態】
【０００９】
以下、本発明の実施形態の一例を図面を参照して説明する。
【００１０】
図１は、本発明の電子機器の実施形態の一例であるデジタルビデオカメラを説明するための分解斜視図である。
【００１１】
図１に示すように、本実施形態のデジタルビデオカメラは、機器本体１０の内部に設けられた熱源の一例である回路基板１１を含む側面領域を覆う第１のカバー部１２と、第１のカバー部１２の一部を外側から覆う第２のカバー部１３とを備える。回路基板１１は、機器本体１０に設けられた撮影レンズ１０ａの光軸方向に沿うように該機器本体１０の内部に配置されている。
【００１２】
第１のカバー部１２は、第２のカバー部１３が組み込まれた状態で機器本体１０に取り付けられる。第１のカバー部１２の回路基板１１に対向する領域の外側の面には、第２のカバー部１３が装着される装着部１２ａが設けられている。
【００１３】
装着部１２ａには、図２に示すように、第２のカバー部１３の周縁部の形状に沿って連続する環状リブ１２１ａと、環状リブ１２１ａで囲まれる領域に略格子状に配置された格子状リブ１２１ｂとが設けられている。
【００１４】
格子状リブ１２１ｂは、撮影レンズ１０ａの光軸に沿って略水平方向に延びる水平リブと、水平リブと直交して上下方向（重力方向Ｇ）に延びる垂直リブとを有する。垂直リブは、略水平方向に互いに離間して複数配置されており、水平リブ及び垂直リブの両端部は、それぞれ環状リブ１２１ａに接続されている。そして、環状リブ１２１ａと格子状リブ１２１ｂにより、装着部１２ａに、複数に区画された領域（以下「区画領域」という。）が形成される。
【００１５】
装着部１２ａの各区画領域には、格子状リブ１２１ｂの水平リブと平行に延びる第１の規制リブ１２２が設けられており、第１の規制リブ１２２は、格子状リブ１２１ｂの水平リブの高さより低くなっている。また、装着部１２ａの所定の位置には、複数（図２では６箇所）の開口部１２３及び複数（図２では２箇所）の位置決め凹部１２４が形成されている。
【００１６】
一方、第２のカバー部１３は、図３に示すように、その内側面に、第１のカバー部１２の開口部１２３に対応する複数の溶着ダボ１３１及び第１のカバー部１２の位置決め凹部１２４に対応する複数の位置決め凸部１３２がそれぞれ形成されている。
【００１７】
また、第２のカバー部１３の内側面には、第１のカバー部１２の装着部１２ａの各区画領域に配置される複数の第２の規制リブ１３３が第１の規制リブ１２２と平行に形成されている。ここで、本実施形態では、デジタルビデオカメラの通常の使用状態における姿勢において重力方向Ｇに対して略直交する方向（即ち、略水平方向）に規制リブ１２２，１３３を形成している。
【００１８】
第１のカバー部１２に第２のカバー部１３を組み付けるには、第１のカバー部１２の位置決め凹部１２４に第２のカバー部１３の位置決め凸部１３２を嵌合しつつ、第１のカバー部１２の開口部１２３に第２のカバー部１３の溶着ダボ１３１を挿入する。
【００１９】
その後、第１のカバー部１２の開口部１２３から突出した溶着ダボ１３１を第１のカバー部１２に溶着する。これにより、第１のカバー部１２に第２のカバー部１３が組み付けられ、この状態で、第１のカバー部１２が、機器本体１０の回路基板１１を覆うように該機器本体１０に取り付けられる。
【００２０】
図４は機器本体１０に第１のカバー部１２を取り付けた状態を示す図、図５は図４のＡ−Ａ線断面図である。なお、図５では、溶着ダボ１３１を第１のカバー部１２に溶着する前の状態を示している。
【００２１】
図５に示すように、第１のカバー部１２に第２のカバー部１３を組付けた状態では、第１のカバー部１２の環状リブ１２１ａ及び格子状リブ１２１ｂが、第２のカバー部１３の内側面に接触している。
【００２２】
このとき、溶着ダボ１３１の基部に配置された受け面１３１１と第１のカバー部１２との間には、所定の隙間が形成されて、環状リブ１２１ａ及び格子状リブ１２１ｂが必ず第２のカバー部１３の内側面に接触するようにしている。これにより、第１のカバー部１２の装着部１２ａに形成された各区画領域と第２のカバー部１３の内側面との間に、略密閉された複数の独立した空気層が形成される。ここで、略密閉とは、空気の流れが略閉じた系となっている状態をいう。
【００２３】
また、複数の空気層には、それぞれ略水平方向に延びる規制リブ１２２，１３３が上下方向（重力方向Ｇ）に交互に配置される。そして、第１のカバー部１２に設けられた第１の規制リブ１２２は、第２のカバー部１３に非接触とされ、第２のカバー部１３に設けられた第２の規制リブ１３３は、第１のカバー部１２に非接触とされている。
【００２４】
これらの規制リブ１２２，１３３により、第１のカバー部１２及び第２のカバー部１３の剛性を高めることができると共に、各空気層内において回路基板１１の熱で温められた空気が重力方向Ｇと逆方向に移動しようとする対流を効率よく規制することができる。
【００２５】
また、規制リブ１２２，１３３が第２のカバー部１３及び第１のカバー部１２に非接触とされているので、空気に比べて熱伝導率の高い規制リブ１２２，１３３を介して回路基板１１の熱が第２のカバー部１３の外側に伝わらないようにすることができる。
【００２６】
以上説明したように、本実施形態では、熱源の一例である回路基板１１を覆う第１のカバー部１２と該第１のカバー部１２を覆う第２のカバー部１３との間に略密閉状態の複数の独立した空気層を形成している。これにより、高価な断熱材を用いることなく、良好な断熱性能を確保することができ、デジタルビデオカメラの低コスト化を図ることができる。
【００２７】
なお、本発明の構成は、上記実施形態に例示したものに限定されるものではなく、材質、形状、寸法、形態、数、配置箇所等は、本発明の要旨を逸脱しない範囲において適宜変更可能である。
【００２８】
例えば、上記実施形態では、第１のカバー部１２で回路基板１１の全領域を覆い、第２のカバー部１３で第１のカバー部１２の一部を覆う場合を例示したが、これに限定されない。例えば、第１のカバー部１２で回路基板１１の一部を覆い、第２のカバー部１３で第１のカバー部１２の全部を覆うようにしてもよい。
【符号の説明】
【００２９】
１０    機器本体
１１    回路基板
１２    第１のカバー部
１３    第２のカバー部
１２１ａ，１２１ｂ    リブ
１２２    第１の規制リブ
１３３    第２の規制リブ
【図１】
0005645396.tif 000002
【図２】
0005645396.tif 000003
【図３】
0005645396.tif 000004
【図４】
0005645396.tif 000005
【図５】
0005645396.tif 000006